(57)【要約】【課題】デジタルマンモグラフィ装置において、撮影条件の決定精度を向上すること。【解決手段】デジタルマンモグラフィ装置は、Ｘ線を発生するＸ線管２と、被検体の乳房を圧迫する圧迫機構１１と、圧迫された乳房を透過したＸ線を検出する平面検出器５と、圧迫された乳房の厚さを測定する厚さセンサ１３と、圧迫機構により乳房にかかる圧力を測定する圧力センサ１２と、圧迫機構による圧迫開始から圧迫完了までの期間にわたって測定された圧力と厚さを繰り返し記録する記録部１４と、圧迫完了時点の乳房の厚さと圧迫完了時点に乳房にかかる圧力と圧迫完了時点における厚さ又は時間に対する圧力の変化割合とに基づいて撮影条件を決定する撮影条件決定部１６、１７とを具備する。【選択図】      図１
2008142343.tif 000002
【特許請求の範囲】
【請求項１】
Ｘ線を発生するＸ線管と、
被検体の乳房を圧迫する圧迫機構と、
前記圧迫された乳房を透過したＸ線を検出する平面検出器と、
前記圧迫された乳房の厚さを測定する厚さセンサと、
前記圧迫機構により前記乳房にかかる圧力を測定する圧力センサと、
前記圧迫機構による圧迫開始から圧迫完了までの期間にわたって前記測定された圧力と厚さを繰り返し記録する記録部と、
前記圧迫完了時点の前記乳房の厚さと、前記圧迫完了時点に前記乳房にかかる圧力と、前記圧迫完了時点における前記厚さ又は時間に対する前記圧力の変化割合とに基づいて、撮影条件を決定する撮影条件決定部とを具備することを特徴とするデジタルマンモグラフィ装置。
【請求項２】
前記撮影条件決定部は、本撮影の前に行われるテスト撮影における撮影条件を決定することを特徴とする請求項１記載のデジタルマンモグラフィ装置。
【請求項３】
前記撮影条件決定部は、本撮影における撮影条件を決定することを特徴とする請求項１記載のデジタルマンモグラフィ装置。
【請求項４】
前記撮影条件決定部は、前記圧迫完了時点の前記乳房の厚さと前記圧迫完了時点に前記乳房にかかる圧力と前記圧迫完了時点における前記厚さ又は時間に対する前記圧力の変化割合とに基づいて前記撮影条件に含まれる管電圧と線質フィルタを決定し、前記圧迫完了時点の前記乳房の厚さに基づいて前記撮影条件に含まれる管電流とＸ線曝射時間を決定することを特徴とする請求項１記載のデジタルマンモグラフィ装置。
【請求項５】
前記撮影条件決定部は、前記圧迫完了時点の前記乳房の厚さに対応する撮影条件を、前記圧迫完了時点に前記乳房にかかる圧力と前記圧迫完了時点における前記厚さに対する前記圧力の変化割合とにより補正することを特徴とする請求項１記載のデジタルマンモグラフィ装置。
【請求項６】
前記圧迫完了時点に前記乳房にかかる圧力と前記圧迫完了時点における前記厚さに対する前記圧力の変化割合とに基づいて補正係数を決定する補正係数決定部をさらに備えることを特徴とする請求項５記載のデジタルマンモグラフィ装置。
【請求項７】
前記圧迫完了時点の前記乳房の厚さに対して撮影条件を関連付けるテーブルと、前記圧迫完了時点に前記乳房にかかる圧力と前記圧迫完了時点における前記厚さに対する前記圧力の変化割合との組み合わせに対して補正係数を関連付けるテーブルとを記憶する記憶部をさらに備えることを特徴とする請求項５記載のデジタルマンモグラフィ装置。
【請求項８】
前記圧迫完了時点の前記乳房の厚さと前記圧迫完了時点に前記乳房にかかる圧力と前記圧迫完了時点における前記厚さに対する前記圧力の変化割合との組み合わせに対して撮影条件を関連付けるテーブルを記憶する記憶部をさらに備えることを特徴とする請求項１記載のデジタルマンモグラフィ装置。
【請求項９】
Ｘ線を発生するＸ線管と、
被検体の乳房を圧迫する圧迫機構と、
前記圧迫された乳房を透過したＸ線を検出する平面検出器と、
前記圧迫された乳房の厚さを測定する厚さセンサと、
前記圧迫機構により前記乳房にかかる圧力を測定する圧力センサと、
前記圧迫機構による圧迫開始から圧迫完了までの期間にわたって前記測定された圧力と厚さを繰り返し記録する記録部と、
前記圧迫完了時点の前記乳房の厚さと、前記圧迫完了時点に前記乳房にかかる圧力と前記圧迫完了時点における前記厚さ又は時間に対する前記圧力の変化割合との一方とに基づいて、撮影条件を決定する撮影条件決定部とを具備することを特徴とするデジタルマンモグラフィ装置。
【請求項１０】
Ｘ線を発生するＸ線管と、
被検体の乳房を圧迫する圧迫機構と、
前記圧迫された乳房を透過したＸ線を検出する平面検出器と、
前記圧迫された乳房の厚さを測定する厚さセンサと、
前記圧迫機構により前記乳房にかかる圧力を測定する圧力センサと、
前記圧迫機構による圧迫開始から圧迫完了までの期間にわたって前記測定された圧力と厚さを繰り返し記録する記録部と、
前記測定された乳房の厚さと、前記測定された前記乳房にかかる圧力とに基づいて、撮影条件を決定する撮影条件決定部とを具備することを特徴とするデジタルマンモグラフィ装置。
【請求項１１】
圧迫機構により圧迫した被検体の乳房をＸ線管と平面検出器とにより撮影するデジタルマンモグラフィ装置の撮影条件を決定するためのプログラムにおいて、
前記乳房の圧迫完了時点の厚さに基づいて撮影条件を決定する手段と、
前記圧迫完了時点に前記乳房にかかる圧力と、前記圧迫完了時点における前記厚さ又は時間に対する前記圧力の変化割合とに基づいて、補正係数を決定する手段と、
前記決定された撮影条件を前記決定された補正係数により補正する手段とをコンピュータに実現させるためのプログラム。
【発明の詳細な説明】
【技術分野】
【０００１】
本発明は、乳房を圧迫板でスラブ状に圧迫してＸ線管と平面検出器とで撮影をするデジタルマンモグラフィ装置に関する。
【背景技術】
【０００２】
乳房を撮像する従来技術として、乳房を圧迫し乳腺を押し広げ、１方向からの２次元画像収集を行う乳房専用レントゲン撮影がある。乳房の中にある乳腺は、ぶどうのような小さな房からなる立体的な構造であるため、そのまま撮影しただけでは重なりが多く、正確な評価ができない。そのため乳房を圧迫して薄く引き延ばすことで、乳腺の重なりを少なくし、且つより低い線量によるＸ線撮影を可能としている。
【０００３】
従前のフィルムを使ったマンモグラフィ装置では、圧迫完了時の乳房の厚さ（圧迫厚という）から撮影の線質を決め、検出器をカセッテの裏側に配置したＡＥＣ検出器（自動露出制御用Ｘ線検出器）で撮影中に線量を制御する。なお、周知の通り、線質は、管電圧と線質フィルタとの組合せにより決まり、線量は管電流とＸ線曝射時間により決まる。
【０００４】
平面検出器（フラットパネルデテクタ；ＦＰＤともいう）を使ったデジタルマンモグラフィ装置は、ＦＰＤがＸ線をほとんど透過しないので、ＡＥＣを使用できない。そのため一般的には、線質及び線量の両方を撮影前に決定するための本撮影の前にプレ撮影（テスト撮影という）が行われる。テスト撮影のための線質と線量は、圧迫厚から決められる。テスト撮影で得た画像情報から最終的に線質と線量を決め、その条件で本撮影をするという方法が用いられている。
【０００５】
同じ厚さに圧迫された乳房でも乳腺密度の違いなどの要因によりＸ線吸収係数は最大で６倍程度の違いがある。したがって、上述のように、圧迫厚のみからテスト撮影の条件を決定すると、ＦＰＤの入射線量は最大で６倍の誤差が発生する。テスト撮影で収集された画像データは本撮影の条件を決定するためだけに用いられるので、線量が多すぎると無駄な被曝を与える。また、少なすぎると画像データがノイズのレベルに近くなるため解析結果の誤差が大きくなり、これより決定される本撮影の撮影条件の誤差が大きくなる。
【発明の開示】
【発明が解決しようとする課題】
【０００６】
本発明の目的は、デジタルマンモグラフィ装置において、撮影条件の決定精度を向上することにある。
【課題を解決するための手段】
【０００７】
本発明の第１局面において、デジタルマンモグラフィ装置は、Ｘ線を発生するＸ線管と、被検体の乳房を圧迫する圧迫機構と、前記圧迫された乳房を透過したＸ線を検出する平面検出器と、前記圧迫された乳房の厚さを測定する厚さセンサと、前記圧迫機構により前記乳房にかかる圧力を測定する圧力センサと、前記圧迫機構による圧迫開始から圧迫完了までの期間にわたって前記測定された圧力と厚さを繰り返し記録する記録部と、前記圧迫完了時点の前記乳房の厚さと、前記圧迫完了時点に前記乳房にかかる圧力と、前記圧迫完了時点における前記厚さ又は時間に対する前記圧力の変化割合とに基づいて、撮影条件を決定する撮影条件決定部とを具備する。  
本発明の第２局面において、デジタルマンモグラフィ装置は、Ｘ線を発生するＸ線管と、被検体の乳房を圧迫する圧迫機構と、前記圧迫された乳房を透過したＸ線を検出する平面検出器と、前記圧迫された乳房の厚さを測定する厚さセンサと、前記圧迫機構により前記乳房にかかる圧力を測定する圧力センサと、前記圧迫機構による圧迫開始から圧迫完了までの期間にわたって前記測定された圧力と厚さを繰り返し記録する記録部と、前記圧迫完了時点の前記乳房の厚さと、前記圧迫完了時点に前記乳房にかかる圧力と前記圧迫完了時点における前記厚さ又は時間に対する前記圧力の変化割合との一方とに基づいて、撮影条件を決定する撮影条件決定部とを具備する。  
本発明の第３局面において、デジタルマンモグラフィ装置は、Ｘ線を発生するＸ線管と、被検体の乳房を圧迫する圧迫機構と、前記圧迫された乳房を透過したＸ線を検出する平面検出器と、前記圧迫された乳房の厚さを測定する厚さセンサと、前記圧迫機構により前記乳房にかかる圧力を測定する圧力センサと、前記圧迫機構による圧迫開始から圧迫完了までの期間にわたって前記測定された圧力と厚さを繰り返し記録する記録部と、前記測定された乳房の厚さと、前記測定された前記乳房にかかる圧力とに基づいて、撮影条件を決定する撮影条件決定部とを具備する。  
本発明は第４局面においては、圧迫機構により圧迫した被検体の乳房をＸ線管と平面検出器とにより撮影するデジタルマンモグラフィ装置の撮影条件を決定するためのプログラムであって、前記乳房の圧迫完了時点の厚さに基づいて撮影条件を決定する手段と、前記圧迫完了時点に前記乳房にかかる圧力と、前記圧迫完了時点における前記厚さ又は時間に対する前記圧力の変化割合とに基づいて、補正係数を決定する手段と、前記決定された撮影条件を前記決定された補正係数により補正する手段とをコンピュータに実現させるためのプログラムである。
【発明の効果】
【０００８】
本発明によれば、デジタルマンモグラフィ装置において、撮影条件の決定精度を向上することができる。
【発明を実施するための最良の形態】
【０００９】
以下、図面を参照して本発明に係るデジタルマンモグラフィ装置の実施形態を説明する。なお、本発明は、デジタルマンモグラフィ装置内に組み込まれる撮影条件決定をコンピュータに実現させるためのプログラム、そのプログラムを記録したコンピュータ読み取り可能な記憶媒体として提供され得る。
【００１０】
図１は、本実施形態に係るデジタルマンモグラフィ装置の構成を示している。デジタルマンモグラフィ装置は、Ｘ線撮影台１を有している。支持機構４は、図２に示されているように、コ字形アーム２０の一方の端にはＸ線管２が装備される。Ｘ線管２は高電圧発生器３から高電圧（管電圧）の印加を受け、フィラメント電流の供給を受けて、Ｘ線を発生する。Ｘ線管２の前面には照射野制限マスクとともに、線質調整フィルタ２１が着脱自在に設けられる。この線質調整フィルタ２１と管電圧との組み合わせにより、Ｘ線の線質が決まる。またフィラメント電流により管電流（ｍＡ）が制御され、その管電流の時間積（ｍＡｓ）により線量が決まる。
【００１１】
コ字形アーム２０の他方の端には、Ｘ線管２に対向する向きで撮影台２３が取り付けられる。撮影台２３の内部に平面検出器（フラット・パネル・デテクタ；ＦＰＤ）５が設置される。平面検出器５の前面には散乱線を除去し画像コントラストを改善するためのグリッドが配置される。平面検出器５は、入射Ｘ線を直接的に電気信号に変換する直接変換形又は入射Ｘ線を蛍光体で光に変換し、その光を電気信号に変換する間接変換形の複数の半導体検出素子を有する。複数の半導体検出素子は２次元格子状に配列される。複数の半導体検出素子でＸ線入射に伴って発生した信号電荷は、データ収集部６を経由してディジタル信号として出力される。データ収集部６では、信号電荷がアンプで電圧に増幅変換され、アナログ・ディジタル・コンバータでディジタル信号に変換される。
【００１２】
コ字形アーム２０の支柱部分には圧迫機構１１が装備される。圧迫機構１１は、圧迫板２２とその移動機構と移動駆動部とからなる。圧迫板２２は、撮影台２３と平行状態を維持したまま撮影台２３に近接／離反する方向に移動する。圧迫板２２の移動は典型的にはフットペダル２４の足操作により行われる。被検体の乳房は、撮影台２３と圧迫板２２との間でスラブ状に圧迫される。圧迫板２２により圧迫された乳房の厚さは、厚さセンサ１３により測定される。乳房の厚さ（乳房厚という）は、圧迫板２２と撮影台２３との間隔に等価である。撮影台２３は固定されているので、厚さセンサ１３には実際的には圧迫板２２の位置を測定するロータリーエンコーダ等の位置センサが適用される。圧迫板２２により乳房にかかる圧力（圧迫力という）は、圧迫板２２と撮影台２３の少なくとも一方に取り付けられた圧力センサ１２により測定される。乳房厚のデータと圧迫力のデータは時刻コードとともに圧迫力／乳房厚記録部１４に記録される。特に圧迫開始から圧迫完了までの期間は、乳房厚と圧迫力のデータは圧迫力／乳房厚記録部１４に一定の周期で繰り返し記録される。
【００１３】
本実施形態に係るデジタルマンモグラフィ装置は、支持機構４等の構造物とともに、システム制御部７、撮影制御部８、操作部９、図示しない画像構成／記憶部、圧迫力／乳房厚記録部１４、撮影条件テーブル／補正テーブル１５、撮影条件決定部１６、撮影条件補正部１７を備えている。撮影制御部８は、事前に設定された撮影条件に従って高電圧発生部３、支持機構４、データ収集部６を制御することで、スラブ状に圧迫された被検体の乳房を対象とする撮影を実行させる。圧迫力／乳房厚記録部１４は、上述したように厚さセンサ１３により測定された乳房厚のデータと圧力センサ１２により測定された圧迫力のデータを時刻コードとともに記録する。
【００１４】
撮影条件テーブル／補正テーブル１５には、予め構成された図３に例示するテスト撮影用の撮影条件テーブル１０１と、予め構成された図４に示すテスト撮影の撮影条件補正用の補正テーブル１０３を記憶する。これらテスト撮影用の撮影条件テーブル１０１とテスト撮影の撮影条件補正用の補正テーブル１０３は、本撮影の撮影条件を決定するためにテスト撮影を行うテストモードが選択された場合に用いられる。
【００１５】
テスト撮影用の撮影条件テーブル１０１は、圧迫完了時点の複数の乳房厚（圧迫厚）の範囲に対して、テスト撮影のために適用される複数の撮影条件がそれぞれ関連付けられている。撮影条件には、管電圧、線質調整フィルタ２１、線量（ｍＡｓ）が含まれる。このテスト撮影用の撮影条件テーブル１０１において圧迫厚に関連付けられている撮影条件がテスト撮影時の撮影条件として初期的に決定される。
【００１６】
テスト撮影の撮影条件補正用の補正テーブル１０３は、補正係数と圧迫厚との複数の組み合わせに対して、テスト撮影用の撮影条件テーブル１０１を用いて初期的に決定されたテスト撮影の撮影条件を補正するための複数の補正値がそれぞれ関連付けられている。補正係数は、撮影条件補正部１７により、圧迫完了時点の圧迫力（ａ）と、圧迫完了時点の圧迫力の傾き（ｂ）とから、（ｂ／ａ）として計算される。なお、圧迫完了時点の圧迫力の傾き（ｂ）は、圧迫完了時点における乳房厚の変化に対する圧迫力の変化の割合として与えられる。なお、圧迫完了時点の圧迫力の傾き（ｂ）は、圧迫完了時点における単位時間あたりの圧迫力の変化量として与えられるものであってもよい。また、補正係数は、圧迫完了時点の圧迫力（ａ）と、圧迫完了時点の圧迫力の傾き（ｂ）とのいずれか一方であっても良い。
【００１７】
なお、本実施形態において、補正対象とされる撮影条件は、管電圧であり、他のフィルタやｍＡｓは補正されない。
【００１８】
また、同様に、撮影条件テーブル／補正テーブル１５には、予め構成された図５に例示する本撮影用の撮影条件テーブル１０５と、予め構成された図６に示す本撮影の撮影条件補正用の補正テーブル１０７を記憶する。これら本撮影用の撮影条件テーブル１０５と本撮影の撮影条件補正用の補正テーブル１０７は、本撮影の撮影条件を決定するためにテスト撮影を行わずに、圧迫完了後にその圧迫情報を用いて本撮影条件を決定して直ちに本撮影を実行するダイレクトモードが選択された場合に用いられる。
【００１９】
本撮影用の撮影条件テーブル１０５は、テーブル１０１と同様に、圧迫完了時点の複数の乳房厚（圧迫厚）の範囲に対して、本撮影のために適用される複数の撮影条件がそれぞれ関連付けられている。この本撮影用の撮影条件テーブル１０５において圧迫厚に関連付けられている撮影条件が本撮影時の撮影条件として初期的に決定される。
【００２０】
本撮影の撮影条件補正用の補正テーブル１０７は、補正係数と圧迫厚との複数の組み合わせに対して、本撮影用の撮影条件テーブル１０５を用いて初期的に決定された本撮影の撮影条件を補正するための複数の補正値がそれぞれ関連付けられている。なお、補正係数については、テスト撮影の撮影条件補正用の補正テーブル１０３に用いた補正係数と等価である。
【００２１】
撮影条件決定部１６は、本撮影の撮影条件を決定するためにテスト撮影を行うテストモードが選択された場合、テスト撮影用の撮影条件テーブル１０１を用いて、圧迫完了時点の乳房の圧迫厚に関連付けられているテスト撮影用の撮影条件を、テスト撮影用の初期的な撮影条件として決定する。また、撮影条件決定部１６は、従来と同様に、テスト撮影により得られた画像を解析しその解析結果と、補正されたテスト撮影条件とに基づいて、本撮影の撮影条件を決定する機能も備えている。
【００２２】
また、撮影条件決定部１６は、本撮影の撮影条件をテスト撮影をしないで圧迫結果からダイレクトに決定するダイレクトモードが選択された場合、本撮影用の撮影条件テーブル１０５を用いて、圧迫完了時点の乳房の圧迫厚に関連付けられている本撮影用の撮影条件を、本撮影用の初期的な撮影条件として決定する。
【００２３】
撮影条件補正部１７は、テストモードが選択された場合、圧迫完了時点の圧迫力の傾き（ｂ）を計算し、その圧迫完了時点の圧迫力の傾き（ｂ）と圧迫完了時点の圧迫力（ａ）とから、補正係数（ｂ／ａ）を計算するとともに、補正係数（ｂ／ａ）と圧迫完了時点の乳房の圧迫厚（ｃ）とに関連付けられているテスト撮影条件の補正値を、テスト撮影の撮影条件補正用の補正テーブル１０３から特定し、特定した補正値により、テスト撮影用の撮影条件テーブル１０１を用いて初期的に決定されたテスト撮影用の撮影条件を補正する。
【００２４】
また、撮影条件補正部１７は、ダイレクトモードが選択された場合、圧迫完了時点の圧迫力の傾き（ｂ）を計算し、その圧迫完了時点の圧迫力の傾き（ｂ）と圧迫完了時点の圧迫力（ａ）とから、補正係数（ｂ／ａ）を計算するとともに、補正係数（ｂ／ａ）と圧迫完了時点の乳房の圧迫厚（ｃ）とに関連付けられている本撮影条件の補正値を、本撮影の撮影条件補正用の補正テーブル１０７から特定し、特定した補正値により、本撮影用の撮影条件テーブル１０５を用いて初期的に決定された本撮影用の撮影条件を補正する。
【００２５】
次に、本実施形態による撮影条件の決定手順について説明する。上述したように、本実施形態に係るデジタルマンモグラフィ装置は、テストモードとダイレクトモードとを装備していて、操作部９から選択されたいずれかのモードのもとで撮影条件が決定される。まず、テストモードを説明し、続いてダイレクトモードについて説明する。
【００２６】
図７は、テストモードにおける撮影条件決定手順を模式的に示している。撮影技師はフットペダル２４を操作して圧迫板２２を移動し、被検体の乳房を圧迫する。圧迫力が所定の閾値に達した時点で、圧迫板２２の移動が停止され、圧迫が完了する。圧迫開始から圧迫完了までの期間において、システム制御部７の制御のもとで、厚さセンサ１３により測定された乳房厚のデータと、圧力センサ１２で測定された圧迫力のデータは、それぞれ測定時の時刻コードとともに一定の周期で繰り返し圧迫力／乳房厚記録部１４に記録される。
【００２７】
圧迫完了とともに、撮影条件決定部１６により、テスト撮影用の撮影条件テーブル１０１を用いて、圧迫完了時点の乳房の圧迫厚に関連付けられているテスト撮影用の撮影条件が、テスト撮影用の初期的な撮影条件として決定される。
【００２８】
また、撮影条件補正部１７により、圧迫完了時点の圧迫力の傾き（ｂ）が計算され、その圧迫完了時点の圧迫力の傾き（ｂ）と圧迫完了時点の圧迫力（ａ）とから、補正係数（ｂ／ａ）が計算される。さらに、撮影条件補正部１７により、補正係数（ｂ／ａ）と圧迫完了時点の乳房の圧迫厚（ｃ）とから、テスト撮影条件の補正値を、テスト撮影の撮影条件補正用の補正テーブル１０３から特定する。そして、特定された補正値により、テスト撮影用の撮影条件テーブル１０１を用いて初期的に決定されたテスト撮影用の撮影条件が補正される。
【００２９】
具体的には、補正対象は管電圧であり、補正値は、管電圧に対する増減値として与えられる。この補正値が、初期的に決定されたテスト撮影用の管電圧に加算される。それにより、補正されたテスト撮影用の管電圧が決定される。マンモグラフィは乳房のＸ線吸収係数の違いを線質で調整するのが一般的である。そこで管電圧を補正対象としている。しかし、撮影条件の補正対象として、管電圧に限定することはなく、線質フィルタ、ｍＡｓも補正対象として補正してもよい。
【００３０】
ここで、乳腺密度が高く、脂肪が少ないと、硬く且つ弾力が高い性質がある。逆に、乳腺密度が低く脂肪が多いと、柔らかく且つ弾力が低い性質がある。従って乳腺密度が高い場合、圧迫完了時の圧迫力（ａ）と圧迫力の傾き（ｂ）との比としての補正係数（ｂ／ａ）が高くなり、乳腺密度が低いほど、補正係数（ｂ／ａ）は低くなる。そこで補正係数（ｂ／ａ）を乳腺密度を表す指標とし、これを用いてテスト撮影条件を補正する。
【００３１】
補正されたテスト撮影条件により撮影制御部８の制御もとでテスト撮影が行われる。テスト撮影後に、撮影条件決定部１６により、従来と同様に、テスト撮影により得られた画像を解析しその解析結果と、補正されたテスト撮影条件とに基づいて、本撮影の撮影条件が決定される。
【００３２】
このテストモードにより、テスト撮影の線質および線量の精度が向上するので、精度良く本撮影の撮影条件が決定可能となる。それにより、本撮影の高画質が確保でき、失敗撮影が防止され、その他に時間短縮、診断能の確保、被曝低減などの効果が期待できる。
【００３３】
次に、ダイレクトモードについて説明する。図８は、ダイレクトモードにおける撮影条件決定手順を模式的に示している。テストモード時と同様に、撮影技師はフットペダル２４を操作して圧迫板２２を移動し、被検体の乳房を圧迫する。圧迫完了とともに、撮影条件決定部１６により、本撮影用の撮影条件テーブル１０５を用いて、圧迫完了時点の乳房の圧迫厚に関連付けられている本撮影用の撮影条件が、本撮影用の初期的な撮影条件として決定される。
【００３４】
また、撮影条件補正部１７により、テストモード時と同様に、補正係数（ｂ／ａ）が計算され、その補正係数（ｂ／ａ）と圧迫完了時点の乳房の圧迫厚（ｃ）とから、本撮影条件の補正値を、本撮影の撮影条件補正用の補正テーブル１０７から特定する。そして、特定された補正値により、本撮影用の撮影条件テーブル１０５を用いて初期的に決定された本撮影用の撮影条件が補正される。
【００３５】
補正された本撮影条件により撮影制御部８の制御もとで本撮影が行われる。
【００３６】
このダイレクトモードにより、テスト撮影なしで、精度良く本撮影の撮影条件が決定可能となる。それにより、本撮影の高画質が確保でき、失敗撮影が防止され、その他に時間短縮、診断能の確保、被曝低減などの効果が期待できる。
【００３７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３８】
【図１】本発明の実施形態に係るデジタルマンモグラフィ装置の構成を示す図。
【図２】図１のデジタルマンモグラフィ装置の支持機構の斜視図。
【図３】図１の撮影条件テーブル／補正テーブル記憶部に記憶されるテスト撮影用の撮影条件テーブルを示す図。
【図４】図１の撮影条件テーブル／補正テーブル記憶部に記憶されるテスト撮影の撮影条件補正用の補正テーブルを示す図。
【図５】図１の撮影条件テーブル／補正テーブル記憶部に記憶される本撮影用の撮影条件テーブルを示す図。
【図６】図１の撮影条件テーブル／補正テーブル記憶部に記憶される本撮影の撮影条件補正用の補正テーブルを示す図。
【図７】本実施形態において、本撮影の撮影条件を決定するための第１のルーチンを示す図。
【図８】本実施形態において、本撮影の撮影条件を決定するための第２のルーチンを示す図。
【符号の説明】
【００３９】
２…Ｘ線管、３…高電圧発生器、４…支持機構、５…平面検出器、６…データ収集部、７…システム制御部、８…撮影制御部、９…操作部、１０…画像記憶部、１１…圧迫機構、１２…圧力センサ、１３…位置センサ、１４…圧迫力／乳房厚記録部、１５…撮影条件テーブル／補正テーブル記憶部、１６…撮影条件決定部、１７…撮影条件補正部。
【図１】
2008142343.tif 000003
【図２】
2008142343.tif 000004
【図３】
2008142343.tif 000005
【図４】
2008142343.tif 000006
【図５】
2008142343.tif 000007
【図６】
2008142343.tif 000008
【図７】
2008142343.tif 000009
【図８】
2008142343.tif 000010